(57)【要約】【課題】押釦部の広い範囲に光を透過して押釦部を光で明示する。【解決手段】第一光源１３Ｂから射出された直進性を有する光を、導光部材１８の光発散面１８Ｂａによって発散しつつ光散乱面１８Ａａによって散乱して、凹部１４Ａｂの光反射面で反射する。このため、凹部１４Ａｂの光反射面のほぼ全域で光が反射されるため、押釦部１７の広い範囲に光が透過される。この結果、押釦部１７を光で明示することができる。また、導光部材１８が光透過材からなるため、光発散面１８Ｂａによって発散した光と、光散乱面１８Ａａから前側に透過する光とが得られる。このため、導光部材１８自身が光を遮ることがなく、導光部材１８の光射出側に透過した光が押釦部１７に透過する。この結果、押釦部１７を斑なく光で明示することができる。【選択図】        図３
2006012488.tif 000002
【特許請求の範囲】
【請求項１】
光源と、
前記光源の光射出側に設けてあり当該光射出側に向けて光を反射する光反射部材と、
前記光源の光射出側に設けてあり前記光反射部材に向けて前記光源の光を散乱する導光部材と、
押動操作可能に設けてあり前記光反射部材によって反射された光を透過する光透過材からなる押釦部と
を備えたことを特徴とする押釦装置。
【請求項２】
前記導光部材は、前記光源の光を前記光反射部材に向けて散乱する態様で前記光源に向いて凸形状の光散乱面を有していることを特徴とする請求項１に記載の押釦装置。
【請求項３】
前記導光部材は、前記光源の光を前記光反射部材に向けて散乱する態様で前記光源に頂部を向けて配設した錐体形状の光散乱面を有していることを特徴とする請求項１に記載の押釦装置。
【請求項４】
前記光散乱面は、光透過材に凹設して形成してあることを特徴とする請求項２または３に記載の押釦装置。
【請求項５】
前記導光部材は、前記光源の光を前記光散乱面に向けて発散する態様で前記光源に向いて凹形状の光発散面を光透過材に凹設してなることを特徴とする請求項２〜４のいずれか一つに記載の押釦装置。
【請求項６】
前記導光部材は、前記光散乱面と前記光発散面とを光透過材に一体にして設けてあることを特徴とする請求項５に記載の押釦装置。
【請求項７】
前記光反射部材は、前記光源の光射出側に向かって漸次拡がる光反射面を有する凹部の底部に対して前記光源を光射出側から臨む通過穴を有してなり、
前記導光部材は、前記通過穴の位置で前記凹部内に配置してあることを特徴とする請求項１〜６のいずれか一つに記載の押釦装置。
【発明の詳細な説明】
【技術分野】
【０００１】
本発明は、例えば自動販売機などで商品の選択に用いられる押釦装置に関するものである。
【背景技術】
【０００２】
例えば自動販売機の前面パネルには、商品見本が陳列してあり、この商品見本と対応する位置に押釦装置が設けてある。押釦装置は、商品見本それぞれに対応した数を設けてある。この押釦装置は、前面パネルに表出するカバーに操作部を設けてある。カバーの内部には、スイッチおよび発光ダイオードなどを実装した回路基板が設けてある。そして、押釦装置は、商品見本の商品金額以上の金額が自動販売機に投入された場合に、発光ダイオードが点灯して購入できる商品見本に対応した押釦部を明示する。また、押釦装置は、明示した押釦部を押されて回路基板のスイッチが操作される。これにより、自動販売機では、商品見本に対応した商品を選択されて当該商品が販売される。
【０００３】
従来、上記のような押釦装置は、押釦部が光透過性材質をなし、チップ型の発光ダイオードの光を透過する構成としてある。また、押釦部の内側（カバーの内部）には、発光ダイオードに対応した反射鏡体が設けてある。反射鏡体は、発光ダイオードの周囲に設けてある（例えば、特許文献１参照）。
【０００４】
【特許文献１】実公平７−１８１１２号公報
【発明の開示】
【発明が解決しようとする課題】
【０００５】
従来の押釦装置では、反射鏡体によってチップ型の発光ダイオードの光を反射させて押釦部に透過させるものと考えられる。しかしながら、チップ型の発光ダイオードの光は、直進性が強いため、その光の多くが反射鏡体に反射することなく押釦部に至る。このため、押釦部の一部にしか光が透過しないので押釦部を光で明示することができない。
【０００６】
本発明は、上記実情に鑑みて、押釦部の広い範囲に光を透過して押釦部を光で明示することができる押釦装置を提供することを目的とする。
【課題を解決するための手段】
【０００７】
上記の目的を達成するために、本発明の請求項１に係る押釦装置は、光源と、前記光源の光射出側に設けてあり当該光射出側に向けて光を反射する光反射部材と、前記光源の光射出側に設けてあり前記光反射部材に向けて前記光源の光を散乱する導光部材と、押動操作可能に設けてあり前記光反射部材によって反射された光を透過する光透過材からなる押釦部とを備えたことを特徴とする。
【０００８】
本発明の請求項２に係る押釦装置は、上記請求項１において、前記導光部材は、前記光源の光を前記光反射部材に向けて散乱する態様で前記光源に向いて凸形状の光散乱面を有していることを特徴とする。
【０００９】
本発明の請求項３に係る押釦装置は、上記請求項１において、前記導光部材は、前記光源の光を前記光反射部材に向けて散乱する態様で前記光源に頂部を向けて配設した錐体形状の光散乱面を有していることを特徴とする。
【００１０】
本発明の請求項４に係る押釦装置は、上記請求項２または３において、前記光散乱面は、光透過材に凹設して形成してあることを特徴とする。
【００１１】
本発明の請求項５に係る押釦装置は、上記請求項２〜４のいずれか一つにおいて、前記導光部材は、前記光源の光を前記光散乱面に向けて発散する態様で前記光源に向いて凹形状の光発散面を光透過材に凹設してなることを特徴とする。
【００１２】
本発明の請求項６に係る押釦装置は、上記請求項５において、前記導光部材は、前記光散乱面と前記光発散面とを光透過材に一体にして設けてあることを特徴とする請求項５に記載の押釦装置。
【００１３】
本発明の請求項７に係る押釦装置は、上記請求項１〜６のいずれか一つにおいて、前記光反射部材は、前記光源の光射出側に向かって漸次拡がる光反射面を有する凹部の底部に対して前記光源を光射出側から臨む通過穴を有してなり、前記導光部材は、前記通過穴の位置で前記凹部内に配置してあることを特徴とする。
【発明の効果】
【００１４】
本発明に係る押釦装置は、導光部材によって光源の光を光反射部材に向けて散乱し、散乱した光を光反射部材によって光射出側に向けて反射して、反射した光を押釦部に透過させる。このため、押釦部の広い範囲に光が透過されるので、押釦部を光で明示することができる。
【００１５】
また、導光部材は、光源に向いて凸形状の光散乱面を有している。あるいは導光部材は、光源に頂部を向けて配設した錐体形状の光散乱面を有している。この構成により上記効果を奏することができる。
【００１６】
また、光散乱面が光透過材に凹設して形成してあれば、光発散面によって光反射部材側に至る発散した光と、光散乱面から光射出側に透過する光とが得られることになる。このため、導光部材自身が光を遮ることがなく、導光部材の光射出側に透過した光が押釦部に透過する。この結果、押釦部を斑なく光で明示することができる。
【００１７】
また、導光部材は、光源に向いて凹形状の光発散面を光透過材に凹設してなる。このため、光発散面が光源の光を光散乱面に向けて発散するので、光散乱面での光の散乱を助勢することができる。
【００１８】
また、導光部材は、光散乱面と光発散面とを光透過材に一体にして設けてある。このため、光発散面および光散乱面における光源や光反射部材への位置決めを容易に行うことができる。
【００１９】
また、光反射部材は、光源の光射出側に向かって漸次拡がる光反射面を有する凹部の底部に対して光源を光射出側から臨む通過穴を有し、導光部材は、通過穴の位置で凹部内に配置してある。このため、導光部材では、光源の光を光反射面に対して一様に散乱することができ、また光反射部材では、散乱した光を斑なく反射することができる。
【発明を実施するための最良の形態】
【００２０】
以下に添付図面を参照して、本発明に係る押釦装置の好適な実施の形態を詳細に説明する。なお、この実施の形態によりこの発明が限定されるものではない。
【００２１】
図１は本発明に係る押釦装置を採用した自動販売機を示す前面図、図２は本発明に係る押釦装置の実施の形態を示す分解斜視図、図３は本発明に係る押釦装置の実施の形態を示す断面図である。
【００２２】
図１に示すように本実施の形態の押釦装置は、自動販売機１に採用してある。自動販売機１は、本体キャビネット２と外扉３とから主に構成してある。本体キャビネット２は、前面が開放した断熱筐体として形成してある。図には明示しないが、本体キャビネット２の開放部分は、断熱性の内扉によって開閉可能としてある。また、図には明示しないが本体キャビネット２の庫内は、断熱性の仕切壁により左右に複数の商品収納室として区分してある。各商品収納室には、例えば、缶、瓶、ペットボトルなどの商品を収納した商品ラックが設けてある。また、各商品収納室の下部には、当該各商品収納室を冷却もしくは加熱して商品ラックに収納した商品を冷蔵・温蔵状態に保存する冷却／加熱ユニットが備えてある。
【００２３】
外扉３は、本体キャビネット２の前面に開閉可能に取り付けてある。外扉３の上部域には、前面が透明板４で覆われたディスプレイ室５が形成してある。また、ディスプレイ室５の内側となる部位には、ディスプレイ台６が取り付けてある。ディスプレイ台６は、本体キャビネット２の庫内に収納した商品に対応した商品見本７を左右に一列に複数（本実施の形態では１２個）並べて載置してある。ディスプレイ台６には、庫内に収納した商品の収納状態（冷却または加温）を表示してある。ディスプレイ台６の表示は、外扉３を本体キャビネット２に対して閉じた際に、自動販売機１の前面から商品見本７とともに透明板４を介して透視できる。なお、図１に示すように本実施の形態でのディスプレイ台６は、上下方向に複数段（本実施の形態では３段）設けてある。その他外扉３の前面には、硬貨投入部の投入口８ａ、紙幣投入部の投入口８ｂ、釣銭返却部の返却口８ｃ、金銭返却レバー８ｄ、表示部８ｅ、ロックハンドル８ｆおよび商品取出口８ｇなど周知の構成が設けてある。
【００２４】
図１に示すようにディスプレイ室５を覆う透明板４には、各ディスプレイ台６の前方となる位置に本発明に係る押釦装置１０が設けてある。押釦装置１０は、カバー１２から押釦部１７を表出してある。押釦部１７は、ディスプレイ台６に載置した各商品見本７に対応してそれぞれ設けてある。本実施の形態での押釦装置１０は、左右の列において押釦部１７を６個並設した押釦ユニットを形成してあり、当該押釦ユニットを２個連結して左右列の商品見本７にそれぞれ押釦部１７を対応して配置してある。なお、押釦ユニットは、押釦部１７を６個並設する構成に限らず、例えば押釦部１７を４個並設して形成してあってもよい。
【００２５】
図２および図３に示すように押釦装置１０は、ベース１１とカバー１２との間に基板１３、ハウジング１４、パッキン１５、フィルム１６、および押釦部１７を収納してある。なお、図２では便宜上、左右に並設した２個の押釦部１７に係る構成を図示してあり、図３では便宜上１個の押釦部１７に係る構成を図示してある。
【００２６】
ベース１１は、押釦装置１０の後側のケーシングを構成するものである。ベース１１は、矩形状の板体をなし、その前面側に基板１３を嵌合する収納凹部１１Ａを設けてある。また、ベース１１は、その外周に沿って無端状の溝部１１Ｂを設けてある。このベース１１は、後面側からネジなどを螺合してディスプレイ室５を覆う透明板４に対して固定される。
【００２７】
カバー１２は、押釦装置１０の前側のケーシングを構成するものである。カバー１２は、前側に向けて円弧状に膨出して形成してある前板１２Ａと、左右側部を閉塞する側板１２Ｂとを有してベース１１との間に収納空間１２Ｃを有してある。この収納空間１２Ｃには、基板１３、ハウジング１４、パッキン１５、フィルム１６、および押釦部１７が収納される。また、カバー１２は、前板１２Ａに押釦部１７を表出する押釦穴１２Ｄを設けてある。このカバー１２は、ベース１１に容着などで固定されて、ベース１１とともにケーシングをなす。
【００２８】
基板１３は、ベース１１の収納凹部１１Ａに嵌合する矩形状の板体をなしている。基板１３の前面側には、スイッチ部１３Ａと、第一光源１３Ｂと、第二光源１３Ｃと集積回路１３Ｄとを配置してある。スイッチ部１３Ａは、作動時に操作感を生じるタクトスイッチで構成してある。このスイッチ部１３Ａは、押釦ユニットにおける１個の押釦部１７に対応して２個設けてある。第一光源１３Ｂは、本発明に係る光源をなしており、チップ型の発光ダイオードで構成してある。チップ型の発光ダイオードは、小型ゆえに押釦装置１０の小型化に寄与している。第一光源１３Ｂは、色の異なる２個の発光ダイオードを有している。本実施の形態では、上下方向に並設した青色および橙色の２色の発光ダイオードを有している。第二光源１３Ｃは、チップ型の発光ダイオードで構成してある。第二光源１３Ｃは、色の異なる２個の発光ダイオードを有している。本実施の形態では、上下方向に並設した赤色および橙色の２色の発光ダイオードを有している。集積回路１３Ｄは、スイッチ部１３Ａ、第一光源１３Ｂおよび第二光源１３Ｃと接続してあり、かつ、自動販売機１のメインコントローラ（図示せず）と接続してある。集積回路１３Ｄは、メインコントローラからの指令に応じて第一光源１３Ｂおよび第二光源１３Ｃの発光ダイオードを発光させ、またスイッチ部１３Ａの作動信号をメインコントローラに送信する。
【００２９】
ハウジング１４は、第一光源１３Ｂおよび第二光源１３Ｃの光射出側（前側）に配置してあり、第一光源１３Ｂおよび第二光源１３Ｃが射出した光を仕切るものである。ハウジング１４は、その外径が楕円形状を呈している。そして、ハウジング１４は、第一光源１３Ｂの２個の発光ダイオードを共にして仕切る第一仕切部１４Ａと、第二光源１３Ｃの２個の発光ダイオードをそれぞれ仕切る第二仕切部１４Ｂ，１４Ｂとを有している。第一仕切部１４Ａは、第一光源１３Ｂの２個の発光ダイオードを前側から共に臨む円形状の通過穴１４Ａａを有している。通過穴１４Ａａは、前側に向かって楕円形状に漸次拡がる光反射面をなす凹部１４Ａｂの底部であって、楕円形状の中央に設けてある。第二仕切部１４Ｂは、第一仕切部１４Ａの側部に設けてあって第二光源１３Ｃの１個の発光ダイオードを前側から臨む矩形状の通過穴１４Ｂａを有している。通過穴１４Ｂａは、前側に向かって矩形状に漸次拡がる光反射面をなす凹部１４Ｂｂの底部であって、矩形状の中央に設けてある。なお、ハウジング１４の前面側であって、特に凹部１４Ａｂおよび凹部１４Ｂｂの光反射面には、光反射性を富むアルミ蒸着が施してある。そして、上記ハウジング１４は、本発明に係る光反射部材をなしている。
【００３０】
ところで、第一仕切部１４Ａの通過穴１４Ａａであって凹部１４Ａｂの内部には、導光部材１８が設けてある。導光部材１８は、光透過材からなり、通過穴１４Ａａに嵌合する円柱形状をなしている。導光部材１８は、円柱形状における円形の端面を前後方向に向けて配置してある。そして、導光部材１８の前側の端面には、第一光源１３Ｂ側（後側）に頂部を向けて配設した円錐体形状の光散乱面１８Ａａをなす光散乱部１８Ａを凹設してある。また、導光部材１８の後側の端面には、第一光源１３Ｂ側（後側）に向いて凹曲形状の光発散面１８Ｂａをなす光発散部１８Ｂを凹設してある。
【００３１】
パッキン１５は、光透過材からなる弾性部材（例えばシリコーン系ゴム）からなり、矩形状に形成してある。パッキン１５の外周には、ベース１１の溝部１１Ｂに挿入し得る無端状の突起部１５Ａが設けてある。また、パッキン１５は、上記ハウジング１４を嵌挿する楕円形状の収納部１５Ｂを前側に突設してある。また、パッキン１５は、収納部１５Ｂの周囲に、可撓性および弾性を有する作動部１５Ｃを設けてある。さらに、パッキン１５は、後側に延在して、基板１３の各スイッチ部１３Ａに対峙する操作突起１５Ｄを設けてある。このパッキン１５は、上記カバー１２をベース１１に容着して固定した場合に、突起部１５Ａが溝部１１Ｂに圧入されることによって基板１３およびハウジング１４をベース１１との間で水密にして収納する。
【００３２】
フィルム１６は、光透過材からなる板体であり、パッキン１５の収納部１５Ｂの前側面を覆う態様で楕円形状をなしている。このフィルム１６は、ハウジング１４の各第二仕切部１４Ｂ，１４Ｂの前側に臨む部位に、光透過性を高くした抜き文字が施してある。この文字は、本実施の形態では例えば一方の第二仕切部１４Ｂに対応する「売り切れ」の文字と、他方の第二仕切部１４Ｂに対応する「準備中」の文字などがある。
【００３３】
押釦部１７は、光透過材からなる。押釦部１７は、その後側にフィルム１６およびパッキン１５の収納部１５Ｂを嵌挿する楕円形状の収容部１７Ａを前側に突設してある。この収容部１７Ａは、カバー１２の押釦穴１２Ｄを貫通して前板１２Ａの前側に表出してある。また、押釦部１７は、収容部１７Ａの外周部分に、押釦部１７が押釦穴１２Ｄから抜ける事態を防ぐ鍔部１７Ｂを設けてある。この鍔部１７Ｂの後側は、パッキン１５の操作突起１５Ｄを介して基板１３の各スイッチ部１３Ａに対峙する。この押釦部１７は、パッキン１５の作動部１５Ｃの撓みおよび弾性によって後側に押動操作可能に設けてある。
【００３４】
以下、上述した押釦装置の作用を自動販売機の販売動作を含めて説明する。図１に示す自動販売機１は、硬貨投入部の投入口８ａから硬貨が投入されたとき、当該硬貨投入部を通じてその正偽を判定し、正硬貨であった場合にさらに投入金額の認識を行う。また、自動販売機１は、紙幣投入部の投入口８ｂから紙幣が投入されたとき、当該紙幣投入部を通じてその正偽を判定し、正紙幣であった場合にさらに投入金額の認識を行う。硬貨あるいは紙幣の金額は表示部８ｅによって表示する。
【００３５】
押釦装置１０は、自動販売機１において投入金額が商品販売に必要となる金額であるとき、押釦部１７の押動操作が有効化される。すなわち、商品販売が可能である商品の商品見本７に対応する押釦部１７に係り、当該押釦部１７が対峙しているスイッチ部１３Ａからの入力が有効化される。同時に、押釦装置１０は、商品販売が可能である商品の商品見本７に対応する押釦部１７に係り、当該押釦部１７の第一光源１３Ｂが駆動される。この際、第一光源１３Ｂでは、例えば、押釦部１７に該当する商品が冷却収納状態である場合に青色の発光ダイオードが発光される一方、押釦部１７に該当する商品が加温収納状態である場合に橙色の発光ダイオードが発光される。
【００３６】
第一光源１３Ｂのチップ型の発光ダイオードから射出した光は、図２に一点鎖線で示すように直進性を有する。この光は、導光部材１８の光発散面１８Ｂａによって発散しつつ当該導光部材１８をなす光透過材の内部を通り、光散乱面１８Ａａによって散乱して第一仕切部１４Ａにおける凹部１４Ａｂの光反射面に至る。そして、凹部１４Ａｂに至る光は、光反射面によって前側に反射し、パッキン１５、フィルム１６および押釦部１７を透過して押釦部１７の前面を照らす。このように、導光部材１８は、第一光源１３Ｂの発光ダイオードから射出した直進性の光を散乱して凹部１４Ａｂの光反射面のほぼ全域に導いている。
【００３７】
また、光で明示された押釦部１７を押動操作することにより、スイッチ部１３Ａが作動する。そして、自動販売機１では、この作動信号を入力することにより押動操作された押釦部１７が対応する商品見本の商品を商品取出口８ｇに搬出する。同時に、押釦装置１０では、スイッチ部１３Ａの作動信号によって第一光源１３Ｂの発光ダイオードの発光を止める。なお、本実施の形態では、１個の押釦部１７に対して２個のスイッチ部１３Ａを備えてある。すなわち、押釦部１７の楕円形状の中央、両側部を押動操作してもいずれかのスイッチ部１３Ａが作動できる。
【００３８】
ところで、自動販売機１において、収納した商品の在庫が無くなったとき、押釦装置１０は、在庫が無くなった商品の商品見本７に対応する押釦部１７に係り、当該押釦部１７の第二光源１３Ｃが駆動される。この際、第二光源１３Ｃでは、例えば、赤色の発光ダイオードが発光される。これにより、フィルム１６に施された「売り切れ」の文字が押釦部１７に赤色で明示される。
【００３９】
さらに、自動販売機１において、在庫の無くなった商品を補充したとき、押釦装置１０は、補充した商品の商品見本７に対応する押釦部１７に係り、当該押釦部１７の第二光源１３Ｃが駆動される。この際、第二光源１３Ｃでは、例えば、橙色の発光ダイオードが発光される。これにより、フィルム１６に施された「準備中」の文字が押釦部１７に橙色で明示される。なお、準備中とは、自動販売機１に収納した商品を冷却もしくは加温している最中のことをいう。そして、自動販売機１に補充した商品が十分に冷却もしくは加温されたとき、押釦装置１０は、補充した商品の商品見本７に対応する押釦部１７の第二光源１３Ｃの駆動を止める。
【００４０】
また、「売り切れ」または「準備中」の文字を明示しているとき、押釦装置１０は、自動販売機１において投入金額が商品販売に必要となる金額であっても、文字を明示している押釦部１７の押動操作を無効化する。すなわち、商品販売が可能でない商品の商品見本７に対応する押釦部１７であるため、当該押釦部１７が対峙しているスイッチ部１３Ａからの入力が無効化される。同時に、押釦装置１０は、商品販売が可能でない商品の商品見本７に対応する押釦部１７に係り、当該押釦部１７の第一光源１３Ｂを駆動しない。
【００４１】
このように、上述した押釦装置１０によれば、直進性を有する光を、導光部材１８の光発散面１８Ｂａによって発散しつつ光散乱面１８Ａａによって散乱して、第一仕切部１４Ａにおける凹部１４Ａｂの光反射面で前側に反射する。このため、凹部１４Ａｂの光反射面のほぼ全域で光が反射されて、押釦部１７の広い範囲に光が透過されるので、押釦部１７を光で明示することが可能になる。光発散面１８Ｂａは、光散乱面１８Ａａに対して光を発散するので、光散乱面１８Ａａでの光の散乱を助勢している。
【００４２】
また、導光部材１８が光透過材からなるため、光発散面１８Ｂａによって発散した光と、光散乱面１８Ａａから前側に透過する光とが得られることになる。このため、導光部材１８自身が光を遮ることがなく、導光部材１８の光射出側に透過した光が押釦部１７に透過する。この結果、押釦部１７を斑なく光で明示することができる。
【００４３】
また、導光部材１８は、光散乱面１８Ａａと光発散面１８Ｂａとを光透過材に一体に形成してあるので、光発散面１８Ｂａおよび光散乱面１８Ａａの第一光源１３Ｂや凹部１４Ａｂへの位置決めを容易に行える。
【００４４】
また、ハウジング１４は、第一光源１３Ｂの光射出側に向かって漸次拡がる光反射面を有する凹部１４Ａｂの底部に対して第一光源１３Ｂを光射出側から臨む通過穴１４Ａａを有し、導光部材１８は、通過穴１４Ａａの位置で凹部１４Ａｂ内に配置してある。このため、導光部材１８は、第一光源１３Ｂの光を凹部１４Ａｂの光反射面に対して一様に散乱し、この散乱した光を凹部１４Ａｂの光反射面で斑なく反射することが可能になる。
【００４５】
なお、上述した実施の形態において、導光部材１８は、光散乱面１８Ａａが光透過材からなる構成であるが、光透過材でなくてもよい。また、光散乱面１８Ａａは、円錐体形状に限らず他の錐体形状でもよい。さらに、光散乱面１８Ａａは、錐体形状に限らず第一光源１３Ｂに向いて凸形状であればよい。
【図面の簡単な説明】
【００４６】
【図１】本発明に係る押釦装置を採用した自動販売機を示す前面図である。
【図２】本発明に係る押釦装置の実施の形態を示す分解斜視図である。
【図３】本発明に係る押釦装置の実施の形態を示す断面図である。
【符号の説明】
【００４７】
１０    押釦装置
１１    ベース
１１Ａ    収納凹部
１１Ｂ    溝部
１２    カバー
１２Ａ    前板
１２Ｂ    側板
１２Ｃ    収納空間
１２Ｄ    押釦穴
１３    基板
１３Ａ    スイッチ部
１３Ｂ    第一光源
１３Ｃ    第二光源
１３Ｄ    集積回路
１４    ハウジング
１４Ａ    第一仕切部
１４Ａａ    通過穴
１４Ａｂ    凹部
１４Ｂ    第二仕切部
１４Ｂａ    通過穴
１４Ｂｂ    凹部
１５    パッキン
１５Ａ    突起部
１５Ｂ    収納部
１５Ｃ    作動部
１５Ｄ    操作突起
１６    フィルム
１７    押釦部
１７Ａ    収容部
１７Ｂ    鍔部
１８    導光部材
１８Ａ    光散乱部
１８Ａａ    光散乱面
１８Ｂ    光発散部
１８Ｂａ    光発散面
【図１】
2006012488.tif 000003
【図２】
2006012488.tif 000004
【図３】
2006012488.tif 000005